(57)【要約】      （修正有）【課題】安全で確実な、セキュリティの高い錠を目標にして、今までと異なったメカニズムで作用する筒形の錠の提供。【解決手段】錠外筒８の内面に８個の突起があり、また、２個のストッパ−２２のポイント２３がある。これらの位置が、鍵１１外面の２種類、すなわち、突起系の４本、ストッパ−系２本の縦線１５、１８と合致しないと、鍵１１の挿入は出来ず、また、突起系の２本、ストッパ−系１本の横線１６、１９と一致しないと、鍵１１の回転は出来ない。また、鍵１１のピン３０と、ロ−タリ−盤１３の規制孔２５の位置および深度が合致しないと、鍵１１の回転はできない構造になっている。これらの条件の一つでも欠けていると、錠の開閉操作が出来ない構造になっている。【選択図】図３
2007270603.tif 000002
【特許請求の範囲】
【請求項１】
錠外筒の内面に、８個の突起を同一線上に２個づつ、４本の縦線上に設けられている。また、この突起に対応するように、筒状の鍵の外周に挿入用の４本の縦溝と、回転用の２本の横溝が彫りこまれている。また、それとは別に、回転軸のヘッドに、４個の突起を設け、それに対応する４本の縦溝を鍵の内面に設けることを特徴とする、挿入ガイド装置。
【請求項２】
錠外筒の外側から内側にかけて、左右対称に、ストッパ−が収納可能な角孔を穿ち、そのスペ−スに、ストッパ−が嵌め込まれている。ストッパ−の中程には、小さな楔状のポイントが突出しており、頭部の支点が軸であり、対極が、作用点である。そして、錠外筒の中部に、ロ−タリ−盤が回転可能なフリ−な状態で組み込まれ、盤の外周縁には、４個の匚形の規制口が設けられている。そして、鍵の外周には、請求項１記載の溝とは別に、４本の短い縦溝・１本の横溝が彫られている。縦溝には、ポイントに接触ができる位置に、有効な作用が可能な深さの接点があり、接触すると、ポイントが作用し、ストッパ−は外側に張り出し、ストッパ−の作用点は、規制口から離脱する。その時点のポイントのある横線域上に、横溝を有することを特徴とする、ストッパ−開閉装置。
【請求項３】
錠外筒に組み込まれたロ−タリ−盤には、４個の規制孔が貫通されている。また、外筒と底部の境界に、左右対象に、Ｌストッパ−収納用の角孔を穿ち、そのスペ−スに、Ｌストッパ−が嵌め込まれている。先端の作用点は、ロ−タリ−盤の規制孔に下から嵌まるように配置されている。また、鍵の下端には４本のピンが伸びており、そのピンは規制孔の上部から嵌まり込み、その内の２本はＬストッパ−を押し下げるものであり、４本はロ−タリ−盤を回転させるることを特徴とする、ロ−タリ−盤の規制・起動装置。
【請求項４】
回転軸は、ロ−タリ−盤中央の角孔に、上下に滑動するようにセットされている。鍵挿入により、回転軸のヘッドは、鍵のヘッド受けからのタッチで、バネをを圧縮しながら下降し、鍵の回転を可能とすることを特徴とする、回転軸の伝達装置。
【請求項５】
外筒の頸部を切削し、そのスペ−スに、放射線状に６個の頚環ボ−ル、それを保持する頚環バネを収束する、頚環を嵌め込んだものを特徴とした、錠口保護装置。
【請求項６】
冂形固定板に固着されている回転軸受けの外周には、ピニオンが形成されており、それに対応するラックは、凵形可動板に固着されている。そして、ピニオンギアを鋲止めしているフックの軸芯は、冂形固定板の中程に懸架されており、それに対応するラックは、凵形可動板に固着されていることを特徴とする、フック伝達装置。
【請求項７】
回転軸受けの軸芯に、カムが固着されており、回転軸受けの枠には、可動板が揺動が出来るように、可動板の軸芯が懸架されており、可動盤の軸孔はスライド出来るよう楕円になっていることを特徴とする、フック規制装置。
【発明の詳細な説明】
【技術分野】
【０００１】  本発明は、一般家屋の施錠、その他、セキュリティに関する安全・確実性を求めた錠に関するものである。
【背景技術】
【０００２】  現在、流通しているのは、シリンダ−式のタイプが、代表的な錠として、広く一般化している。この名品を超える錠は、当分は現出しにくい状況にある。これからも、主流の錠として、長く流通するのが常識的な大勢である。【０００３】  しかし、長期間、広い範囲で寡占的に流通していると、いろいろ研究され、挑戦的な阻害要因が生じないとは言い切れない面がある。
【発明の開示】
【発明が解決しようとする課題】
【０００４】  前項に述べた、いかに完璧な錠にしても、名品であるとしても、ある面では、１００％完全無欠とは言い切れない。【０００５】  本発明は、従来の機構と全く異なったメカニズムで作用する錠をめざし、セキュリティに役立つことを目的とするものである。
【課題を解決するための手段】
【０００６】  本発明は上記目的を達成するために、発想を変え、円筒状の鍵と錠本体で構成されたものである。錠の内側に突起を設け、鍵の縦溝の位置が、その突起のピッチと合致した線でなければ、鍵の挿入ができないし、また、横溝が一致した線でなければ、鍵の回転はできない構造になっている。【０００７】  錠本体に内装しているロ−タリ−盤の外周縁の規制口は、ストッパ−によってロックされている。解除するには、鍵を完全に差し込み、鍵の縦溝に設けられている接点が、ストッパ−のポイントを押し下げ、ストッパ−を微回転させる事で、ロックはフリ−となる。【０００８】  それとは別に、ロ−タリ−盤の平面には、規制孔があり、Ｌストッパ−によって、盤の回転がロックされている。前項のロックと合わせ、２重のロックである。鍵挿入で、鍵の先端の２本のピンが、Ｌストッパ−を押し下げることによって、ロックは解除され、盤のロツクはフリ−となる。また、４本のピンと規制孔は、がっちり噛み合っているので、一体であり、鍵をまわすことは、ロ−タリ−盤の回転であり、中央を貫通する回転軸が回転することであり、回転軸受けを介して、フックに連動し、錠の開閉を可能とする。【０００９】  回転軸受けの軸芯にカムが取りつけられ、可動板は揺動できる形で、枠に軸芯は懸架されている。カムが回転し可動板の中間点に達すると、可動板は楕円の軸孔により後ろにスライドし、過ぎるとバネにより前に戻り、カムは天秤の原理で回転、対極にシフトする。【００１０】  回転軸のヘッドに４個の突起が設けられ、鍵内面の縦溝か対応して、溝が突起のピッチに合致しないと鍵の挿入はできない。
【発明の効果】
【００１１】  上述したように、本発明の錠は、多くの縦横の、溝ガイドの適合条件と、ダブルロックの解除の全てをクリアしないと、錠の開閉操作が出来ない構造になっており、不正に解錠しようとしても、至って困難である。
【発明を実施するための最良の形態】
【実施例】
【００１２】  以下、本発明の実施の形態を図１〜４に基づいて説明する。【００１３】  図４の実施例では、外筒８の内側に、ロ−タリ−盤１３が、回転可能な状態ではめ込まれており、下支えに底部９を嵌め込み、それを保持するカバ−１０は螺着されている。【００１４】  また、図３では、外筒８の内面に、８個の突起１４が設けてあり、鍵１１の外周に彫りこまれた４本の縦溝１５、２本の横溝１６に対応するものである。【００１５】  そして、図３では、鍵１１内腔の奥に、ヘッドうけ３１が設けてあり、回転軸１２のへッド３２への接触・挿入に対応するものである。【００１６】  また、図３では、回転軸１２のヘッド３２に４個の突起３３を設け、それに対応する４本の縦溝２９を、鍵１１の内面に彫り込まれている。【００１７】  そして、図４では、外筒８の内側から外側にかけて、左右対称に双方に角孔が穿ってあり、そのスペ−ス２１に、ストッパ−２２が嵌め込まれている。【００１８】  そして、図３では、前項のストッパ−２２のポイント２３に、対応する短い縦溝１８の先端のベストの箇所に、接点２０が形成されている。【００１９】  また、図４では、外筒８と底部９の境目にかけて、左右対称に双方に角孔が穿っってあり、そのスペ−ス２６に、Ｌストッパ−２７が嵌め込まれている。【００２０】  そして、図３では、鍵１１の先端に、４本のピン３０が伸びており、ロ−タリ−盤１３の規制孔２５に嵌合するものであり、内２本は、Ｌストッパ−２７を押し下げ、ロックを解除するためのものであり、４本は、規制孔２５とフルに嵌合することで、ロ−タリ−盤１３を無理なく回転させる事ができるのである。【００２１】  また、図４では、外筒８の頚部を削り取ったスペ−ス３５に、頚環ボ−ル３７と、これを保持する頚環バネ３８を組み込んだ、頚環３６が嵌め込まれている。【００２２】  次に、図２では、冂形固定板５に、回転軸受け３９が固着されている。回転軸受け３９にはピニオン４０が形成され、凵形可動板６のラック４１とセットになっている。【００２３】  また、図２では、フック４２は軸芯部分を縦に３分１、中間を削りとり、ビニオンギア４３を差し込み、鋲で固着する。フック４２の軸芯は、冂形固定板５に懸架されており、凵形可動板６のラック４４とセットとなっている。【００２４】  次に、図２では、回転軸受け３９の軸芯に、カム４５が固着されており、回転軸受け３９の枠に、可動板４６が揺動可能の状態で、軸芯が懸架されている。
【図面の簡単な説明】
【００２５】
【図１】  操作装置の形態の概略の断面斜視図である。
【図２】  施錠装置の形態の概略の断面斜視図である。一部平面図である。
【図３】  錠７・鍵１１の機能・構造を示す断面図である。
【図４】  錠外筒８の断面斜視図である。一部平面図である。
【符号の説明】
【００２６】１    外部化粧板
２  ４    受け板
３    内部化粧板
５    冂形固定板
６    凵形可動板
７    錠
８    外筒
９    底部
１０  カバ−
１１  鍵
１２  回転軸
１３  ロ−タリ−盤
１４  ３３  突起
１５  １８、２９  縦溝
１６  １９  横溝
１７  規制口
２０  接点
２１  ２６、３５  スペ−ス
２２  ストッパ
２３  ポイント
２４  ２８  ３４  ４７  バネ
２５  規制孔
２７  Ｌストッパ−
３０  ピン
３１  ヘッド受け
３２  ヘッド
３６  頚環
３７  頚環ボ−ル
３８  頚環バネ
３９  回転軸受け
４０  ピニオン
４１  ４４  ラック
４２  フック
４３  ピニオンギア
４５  カム
４６  可動板
４８  角芯
４９  シフタ−
【図１】
2007270603.tif 000003
【図２】
2007270603.tif 000004
【図３】
2007270603.tif 000005
【図４】
2007270603.tif 000006